(57)【要約】【課題】足裏の滑りを防止する効果を有しており、着用者の運動能力を向上させる靴下を提供する。【解決手段】足裏の外面側に滑り止め部材７０を有する靴下１であって、拇趾球部４に複数の第１滑り止め部材１０を有しており、第１滑り止め部材１０は、第１滑り止め部材１０の内方側端が第１滑り止め部材１０の外方側端よりも踵側に近く、足裏において、親指の先端２と踵の先端３とを結ぶ線Ｘと各々の第１滑り止め部材１０の長軸方向との、爪先側に開く外方側の角度θ１の平均が５０度以上１００度未満である。【選択図】図１
2019002080.tif 000002
【特許請求の範囲】
【請求項１】
足裏の外面側に滑り止め部材を有する靴下であって、
拇趾球部に複数の第１滑り止め部材を有しており、
前記第１滑り止め部材は、前記第１滑り止め部材の内方側端が前記第１滑り止め部材の外方側端よりも踵側に近く、
前記足裏において、親指の先端と前記踵の先端とを結ぶ線と各々の前記第１滑り止め部材の長軸方向との、爪先側に開く外方側の角度の平均が５０度以上１００度未満であることを特徴とする靴下。
但し、
［拇趾球部］：拇趾球に重なる円状領域であって当該円の直径が靴下の最大幅の１／４である。
【請求項２】
踵部に複数の第２滑り止め部材を有しており、
前記足裏において、前記親指の先端と前記踵の先端とを結ぶ線と各々の前記第２滑り止め部材の長軸方向との、前記爪先側に開く外方側の角度の平均が８０度以上１２０度以下である請求項１に記載の靴下。
但し、
［踵部］：足裏を長さ方向に７等分したときの最も踵側に位置する領域。
【請求項３】
踵部に複数の第２滑り止め部材を有しており、
複数の前記第２滑り止め部材は、放射状に配列されている請求項１に記載の靴下。
但し、
［踵部］：足裏を長さ方向に７等分したときの最も踵側に位置する領域。
【請求項４】
小指球部に複数の第３滑り止め部材を有しており、
前記第３滑り止め部材は、前記第３滑り止め部材の内方側端が前記第３滑り止め部材の外方側端よりも踵側に近く、
前記足裏において、前記親指の先端と前記踵の先端とを結ぶ線と各々の前記第３滑り止め部材の長軸方向との、前記爪先側に開く外方側の角度の平均が５０度以上１００度未満である請求項１〜３のいずれか一項に記載の靴下。
但し、
［小指球部］：小指球に重なる円状領域であって当該円の直径が靴下の最大幅の１／４である。
【請求項５】
前記踵部よりも前記爪先側かつ前記拇趾球部よりも前記踵側に第４滑り止め部材を有しており、
前記第４滑り止め部材は、前記第４滑り止め部材の外方側端が前記第４滑り止め部材の内方側端よりも踵側に近く、
前記足裏において、前記親指の先端と前記踵の先端とを結ぶ線と前記第４滑り止め部材の長軸方向との、前記踵側に開く外方側の角度が２０度以上１１０度以下である請求項１〜４のいずれか一項に記載の靴下。
【請求項６】
指部に複数の第５滑り止め部材を有しており、
前記足裏において、前記親指の先端と前記踵の先端とを結ぶ線と各々の前記第５滑り止め部材の長軸方向との、前記爪先側に開く外方側の角度の平均が８０度以上１２０度以下である請求項１〜５のいずれか一項に記載の靴下。
【請求項７】
土踏まずよりも外方側に第６滑り止め部材を有しており、
前記足裏において、前記親指の先端と前記踵の先端とを結ぶ線と前記第６滑り止め部材の長軸方向との、前記爪先側に開く外方側の角度が８０度以上１２０度以下である請求項１〜６のいずれか一項に記載の靴下。
【請求項８】
複数の前記第１滑り止め部材、複数の前記第２滑り止め部材、複数の前記第３滑り止め部材、複数の前記第４滑り止め部材、複数の前記第５滑り止め部材および複数の前記第６滑り止め部材の少なくともいずれか１つは、前記足裏において、前記親指の先端と前記踵の先端とを結ぶ線と各々の該滑り止め部材の長軸方向とがなす各角度の差が１０度以下（０度を含む）である請求項１〜７のいずれか一項に記載の靴下。
【請求項９】
複数の前記第１滑り止め部材、複数の前記第２滑り止め部材、複数の前記第３滑り止め部材、複数の前記第４滑り止め部材、複数の前記第５滑り止め部材および複数の前記第６滑り止め部材の少なくともいずれか１つは、隣り合う該滑り止め部材の間隔が、１ｍｍ以上２０ｍｍ以下である請求項１〜８のいずれか一項に記載の靴下。
【請求項１０】
複数の前記第１滑り止め部材、複数の前記第２滑り止め部材、複数の前記第３滑り止め部材、複数の前記第４滑り止め部材、複数の前記第５滑り止め部材および複数の前記第６滑り止め部材の少なくともいずれか１つは、各々の該滑り止め部材の長軸方向の長さの平均が短軸方向の長さの平均の２倍以上１２倍以下である請求項１〜９のいずれか一項に記載の靴下。
【請求項１１】
複数の前記第１滑り止め部材、複数の前記第２滑り止め部材、複数の前記第３滑り止め部材、複数の前記第４滑り止め部材、複数の前記第５滑り止め部材および複数の前記第６滑り止め部材の少なくともいずれか１つは、各々の該滑り止め部材の短軸方向の長さの平均が２ｍｍ以上である請求項１〜１０のいずれか一項に記載の靴下。
【請求項１２】
複数の前記第１滑り止め部材、複数の前記第２滑り止め部材、複数の前記第３滑り止め部材、複数の前記第４滑り止め部材、複数の前記第５滑り止め部材および複数の前記第６滑り止め部材の少なくともいずれか１つは、各々の該滑り止め部材の長軸方向の長さの平均が１２ｍｍ以下である請求項１〜１１のいずれか一項に記載の靴下。
【発明の詳細な説明】
【技術分野】
【０００１】
本発明は靴下に関するものであり、詳細には足裏部に滑り止め部材を有する靴下に関するものである。
【背景技術】
【０００２】
一般に、靴と足との衝撃を吸収して足を保護する目的や、足の保温、汗を吸収して足を乾燥させるために靴下を着用する。靴下を着用した状態で靴を履き、歩行等をした際に、靴の内部において靴の中敷きと靴下との間に滑りが生じ、着用者の運動能力の低下を引き起こすという問題があった。靴下着用時の足裏の滑りを抑制するために、足裏部分に滑り止め用の突起を設けた靴下（例えば、特許文献１〜２参照）や、足裏部分を摩擦係数の高い糸で構成した靴下（例えば、特許文献３〜４参照）が知られている。
【先行技術文献】
【特許文献】
【０００３】
【特許文献１】特開２００７−７２０４号公報
【特許文献２】実用新案登録第３１６１７３７号公報
【特許文献３】特開２００６−９７１８９号公報
【特許文献４】実用新案登録第３１６７９６５号公報
【発明の概要】
【発明が解決しようとする課題】
【０００４】
しかし、特許文献１〜４に記載されているような構造の靴下では、走ったり跳躍したりする等の運動時における、靴下着用時の足裏と靴の中敷きとの滑りを防ぐ効果が不十分であり、更に改善の余地があると考えられる。
【０００５】
本発明は、前記の事情に鑑みてなされたものであり、その目的は、足裏の滑りを防止する効果を有しており、着用者の運動能力を向上させる靴下を提供することにある。
【課題を解決するための手段】
【０００６】
前記課題を解決することができた本発明の靴下は、足裏の外面側に滑り止め部材を有する靴下であって、拇趾球部に複数の第１滑り止め部材を有しており、第１滑り止め部材は、第１滑り止め部材の内方側端が第１滑り止め部材の外方側端よりも踵側に近く、足裏において、親指の先端と踵の先端とを結ぶ線と各々の第１滑り止め部材の長軸方向との、爪先側に開く外方側の角度の平均が５０度以上１００度未満であることを特徴とするものである。但し、拇趾球部は、拇趾球に重なる円状領域であって当該円の直径が靴下の最大幅の１／４である。
【０００７】
上記の靴下は、踵部に複数の第２滑り止め部材を有しており、足裏において、親指の先端と踵の先端とを結ぶ線と各々の第２滑り止め部材の長軸方向との、爪先側に開く外方側の角度の平均が８０度以上１２０度以下であることが好ましい。但し、踵部は、足裏を長さ方向に７等分したときの最も踵側に位置する領域である。
【０００８】
上記の靴下において、踵部に複数の第２滑り止め部材を有しており、複数の第２滑り止め部材は、放射状に配列されていることが好ましい。但し、踵部は、足裏を長さ方向に７等分したときの最も踵側に位置する領域である。
【０００９】
上記の靴下は、小指球部に複数の第３滑り止め部材を有しており、第３滑り止め部材は、第３滑り止め部材の内方側端が第３滑り止め部材の外方側端よりも踵側に近く、足裏において、親指の先端と踵の先端とを結ぶ線と各々の第３滑り止め部材の長軸方向との、爪先側に開く外方側の角度の平均が５０度以上１００度未満であることが好ましい。但し、小指球部は、小指球に重なる円状領域であって当該円の直径が靴下の最大幅の１／４である。
【００１０】
上記の靴下は、踵部よりも爪先側かつ拇趾球部よりも踵側に第４滑り止め部材を有しており、第４滑り止め部材は、第４滑り止め部材の外方側端が第４滑り止め部材の内方側端よりも踵側に近く、足裏において、親指の先端と踵の先端とを結ぶ線と第４滑り止め部材の長軸方向との、踵側に開く外方側の角度が２０度以上１１０度以下であることが好ましい。
【００１１】
上記の靴下は、指部に複数の第５滑り止め部材を有しており、足裏において、親指の先端と踵の先端とを結ぶ線と各々の第５滑り止め部材の長軸方向との、爪先側に開く外方側の角度の平均が８０度以上１２０度以下であることが好ましい。
【００１２】
上記の靴下は、土踏まずよりも外方側に第６滑り止め部材を有しており、足裏において、親指の先端と踵の先端とを結ぶ線と第６滑り止め部材の長軸方向との、爪先側に開く外方側の角度が８０度以上１２０度以下であることが好ましい。
【００１３】
上記の靴下において、複数の第１滑り止め部材、複数の第２滑り止め部材、複数の第３滑り止め部材、複数の第４滑り止め部材、複数の第５滑り止め部材および複数の第６滑り止め部材の少なくともいずれか１つは、足裏において、親指の先端と踵の先端とを結ぶ線と各々の該滑り止め部材の長軸方向とがなす各角度の差が１０度以下（０度を含む）であることが好ましい。
【００１４】
上記の靴下において、複数の第１滑り止め部材、複数の第２滑り止め部材、複数の第３滑り止め部材、複数の第４滑り止め部材、複数の第５滑り止め部材および複数の第６滑り止め部材の少なくともいずれか１つは、隣り合う該滑り止め部材の間隔が、１ｍｍ以上２０ｍｍ以下であることが好ましい。
【００１５】
上記の靴下において、複数の第１滑り止め部材、複数の第２滑り止め部材、複数の第３滑り止め部材、複数の第４滑り止め部材、複数の第５滑り止め部材および複数の第６滑り止め部材の少なくともいずれか１つは、各々の該滑り止め部材の長軸方向の長さの平均が短軸方向の長さの平均の２倍以上１２倍以下であることが好ましい。
【００１６】
上記の靴下において、複数の第１滑り止め部材、複数の第２滑り止め部材、複数の第３滑り止め部材、複数の第４滑り止め部材、複数の第５滑り止め部材および複数の第６滑り止め部材の少なくともいずれか１つは、各々の該滑り止め部材の短軸方向の長さの平均が２ｍｍ以上であることが好ましい。
【００１７】
上記の靴下において、複数の第１滑り止め部材、複数の第２滑り止め部材、複数の第３滑り止め部材、複数の第４滑り止め部材、複数の第５滑り止め部材および複数の第６滑り止め部材の少なくともいずれか１つは、各々の該滑り止め部材の長軸方向の長さの平均が１２ｍｍ以下であることが好ましい。
【発明の効果】
【００１８】
本発明の靴下は、足裏の外面側に滑り止め部材を有する靴下であって、拇趾球部に複数の第１滑り止め部材を有しており、第１滑り止め部材は、第１滑り止め部材の内方側端が第１滑り止め部材の外方側端よりも踵側に近く、足裏において、親指の先端と踵の先端とを結ぶ線と各々の第１滑り止め部材の長軸方向との、爪先側に開く外方側の角度の平均が５０度以上１００度未満であることを特徴とする。靴下がこのような構成であることにより、足裏の滑りを防止し、着用者の運動能力を向上させることができる。
【図面の簡単な説明】
【００１９】
【図１】本発明の実施の形態における靴下の足裏の外面側の一例を表す。
【図２】本発明の実施の形態における靴下の足裏の外面側の他の一例を表す。
【図３】本発明の実施の形態における靴下の滑り止め部材の拡大図を表す。
【発明を実施するための形態】
【００２０】
以下、下記実施の形態に基づき本発明をより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。また、図面における種々部材の寸法は、本発明の特徴の理解に資することを優先しているため、実際の寸法とは異なる場合がある。
【００２１】
本発明に係る靴下は、足裏の外面側に滑り止め部材を有する靴下であって、拇趾球部に複数の第１滑り止め部材を有しており、第１滑り止め部材は、第１滑り止め部材の内方側端が第１滑り止め部材の外方側端よりも踵側に近く、足裏において、親指の先端と踵の先端とを結ぶ線と各々の第１滑り止め部材の長軸方向との、爪先側に開く外方側の角度の平均が５０度以上１００度未満であることを特徴とするものである。
【００２２】
本発明において、靴下の外面側とは、靴下の着用時に着用者から見て外気側を意味する。靴下の肌面側とは、外面側とは反対の、着用者側を意味する。また、外方側とは、靴下の着用時に着用者から見て着用者の土踏まずとは反対の方向を指す。内方側とは、外方側とは反対の、着用者の土踏まず側の方向を指す。
【００２３】
図１および図２に示すように、本発明の靴下１は、足裏の外面側に滑り止め部材７０を有している。なお、図１および図２は、右足用の靴下を図示しており、紙面の上側が爪先側、下側が踵側、右側が土踏まず側であり内方側、左側が土踏まずとは反対側であり外方側にそれぞれ相当する。左足用の靴下は、右足用の靴下の対称とすればよい。
【００２４】
滑り止め部材７０は、靴下１の着用時に足裏部分と靴の中敷きとの滑りを防止する。このことによって、マラソンやランニング等の走る運動、バレーボールやバスケットボール等の跳ぶ運動等の際に足裏部で発生する力のロスを軽減することができ、着用者の運動能力を向上させることが可能となる。
【００２５】
滑り止め部材７０を構成する材質は、特に限定されず、ウレタン樹脂、シリコン樹脂、塩化ビニール樹脂等の合成樹脂、天然ゴム等が挙げられる。中でも、シリコン樹脂であることが好ましい。滑り止め部材７０を構成する材質がこのようになっていることにより、滑り止め効果を高め、また、滑り止め部材７０の耐久性を高くすることができる。
【００２６】
靴下１は、拇趾球部４に複数の第１滑り止め部材１０を有している。拇趾球部４とは、拇趾球に重なる円状領域であって当該円の直径が靴下の最大幅の１／４である。この円状領域の中心点が必ずしも拇趾球の中心点と一致している必要はなく、円状領域の少なくとも一部が拇趾球と重なっていればよい。拇趾球部４は、足裏において、運動時に最も荷重が加わる部分であり、滑りが発生しやすい。そのため、拇趾球部４に複数の第１滑り止め部材１０を配置することにより、足裏の滑りを防止することができる。
【００２７】
第１滑り止め部材１０は、第１滑り止め部材１０の内方側端が第１滑り止め部材１０の外方側端よりも踵側に近く、足裏において、親指の先端２と踵の先端３とを結ぶ線Ｘと各々の第１滑り止め部材１０の長軸方向との、爪先側に開く外方側の角度θ１の平均が５０度以上１００度未満であるように配置されている。すなわち、第１滑り止め部材１０の土踏まず側が、土踏まずの反対側よりも下方となるように傾斜して配置されている。第１滑り止め部材１０がこのように配置されていることにより、拇趾球部４に加わる応力の向きに沿って第１滑り止め部材１０を配置することができ、拇趾球部４の滑りを防止する効果を高めることができる。
【００２８】
親指の先端２と踵の先端３とを結ぶ線Ｘと各々の第１滑り止め部材１０の長軸方向との、爪先側に開く外方側の角度θ１の平均は、５５度以上であることが好ましく、６０度以上であることがより好ましく、６５度以上であることがさらに好ましい。また、親指の先端２と踵の先端３とを結ぶ線Ｘと各々の第１滑り止め部材１０の長軸方向との、爪先側に開く外方側の角度θ１の平均は、９５度以下であることが好ましく、８５度以下であることがより好ましく、７５度以下であることがさらに好ましい。第１滑り止め部材１０の角度θ１の上限値および下限値をこのように設定することにより、拇趾球部４において発生する滑りを効果的に防ぐことが可能となる。
【００２９】
複数の第１滑り止め部材１０において、各々の第１滑り止め部材１０の配置は、親指の先端２と踵の先端３とを結ぶ線Ｘと各々の第１滑り止め部材１０の長軸方向との、爪先側に開く外方側の角度θ１の平均が５０度以上１００度未満であればよく、全ての第１滑り止め部材１０の角度θ１が同じであってもよく、異なっていてもよい。また、各々の第１滑り止め部材１０が配置されている間隔も、一定であってもよく、異なっていてもよい。第１滑り止め部材１０の好ましい配置の詳細については、後述する。
【００３０】
第１滑り止め部材１０を構成する材質は、滑り止め部材７０を構成する材質として挙げたものを使用することができる。中でも、シリコン樹脂を有していることが好ましい。第１滑り止め部材１０を構成する材質がこのようになっていることにより、拇趾球部４の滑り止め効果を高めることができる。
【００３１】
第１滑り止め部材１０の形状は、特に限定されず、複数の第１滑り止め部材１０の全ての形状が同じであってもよく、異なる形状のものが含まれていてもよい。中でも、複数の第１滑り止め部材１０の全ての形状が同じであることが好ましい。第１滑り止め部材１０がこのようになっていることにより、拇趾球部４全体の滑り止め防止効果を一定のものとすることができる。なお、第１滑り止め部材１０の好ましい形状の詳細については、後述する。
【００３２】
靴下１は、踵部５に複数の第２滑り止め部材２０を有していることが好ましい。踵部５とは、足裏を長さ方向に７等分したときの最も踵側に位置する領域である。踵部５も、運動時に荷重が加わりやすい部分であって滑りやすい。そのため、踵部５に複数の第２滑り止め部材２０を配置することにより、足裏の踵部５の滑りを防止することができる。
【００３３】
第２滑り止め部材２０は、足裏において、親指の先端２と踵の先端３とを結ぶ線Ｘと各々の第２滑り止め部材２０の長軸方向との、爪先側に開く外方側の角度θ２の平均が８０度以上であることが好ましく、８５度以上であることがより好ましく、９０度以上であることがさらに好ましい。また、親指の先端２と踵の先端３とを結ぶ線Ｘと各々の第２滑り止め部材２０の長軸方向との、爪先側に開く外方側の角度θ２の平均が１２０度以下であることが好ましく、１１５度以下であることがより好ましく、１１０度以下であることがさらに好ましい。第２滑り止め部材２０の角度θ２の上限値および下限値をこのように設定することにより、踵部５に加わる応力の向きに沿って第２滑り止め部材２０を配置することができ、踵部５の滑りを防止する効果を高めることができる。
【００３４】
複数の第２滑り止め部材２０において、全ての第２滑り止め部材２０の角度θ２が同じであってもよく、異なっていてもよい。また、各々の第２滑り止め部材２０が配置されている間隔も、一定であってもよく、異なっていてもよい。第２滑り止め部材２０の好ましい配置の詳細については、後述する。
【００３５】
また、第２滑り止め部材２０は、放射状に配列されていることも好ましい。第２滑り止め部材２０がこのように配置されていることにより、特に跳躍する運動時に踵部５の滑りを防ぐ効果を高めることができる。
【００３６】
第２滑り止め部材２０を構成する材質は、滑り止め部材７０を構成する材質として挙げたものを使用することができる。中でも、シリコン樹脂であることが好ましい。第２滑り止め部材２０を構成する材質がこのようになっていることにより、踵部５の滑り止め効果を高めることができる。
【００３７】
第２滑り止め部材２０の形状は、特に限定されず、複数の第２滑り止め部材２０の全ての形状が同じであってもよく、異なる形状のものが含まれていてもよい。中でも、複数の第２滑り止め部材２０の全ての形状が同じであることが好ましい。第２滑り止め部材２０がこのようになっていることにより、踵部５全体の滑り止め防止効果を一定のものとすることができる。なお、第２滑り止め部材２０の好ましい形状の詳細については、後述する。
【００３８】
靴下１は、小指球部６に複数の第３滑り止め部材３０を有していることが好ましい。小指球部６とは、小指球に重なる円状領域であって当該円の直径が靴下の最大幅の１／４である。この円状領域の中心点が必ずしも小指球の中心点と一致している必要はなく、円状領域の少なくとも一部が小指球と重なっていればよい。小指球部６に複数の第３滑り止め部材３０を配置することにより、足裏において、荷重の加わりやすい部分である小指球部６の滑りを防ぐことができる。
【００３９】
第３滑り止め部材３０は、第３滑り止め部材３０の内方側端が第３滑り止め部材３０の外方側端よりも踵側に近く、足裏において、親指の先端２と踵の先端３とを結ぶ線Ｘと各々の第３滑り止め部材３０の長軸方向との、爪先側に開く外方側の角度θ３の平均が５０度以上１００度未満であるように配置されていることが好ましい。すなわち、第３滑り止め部材３０の土踏まず側が、土踏まずの反対側よりも下方となるように傾斜して配置されている。第３滑り止め部材３０がこのように配置されていることにより、小指球部６に加わる応力の向きに沿って第３滑り止め部材３０を配置することができ、小指球部６の滑りを防止する効果を高めることができる。
【００４０】
第３滑り止め部材３０は、足裏において、親指の先端２と踵の先端３とを結ぶ線Ｘと各々の第３滑り止め部材３０の長軸方向との、爪先側に開く外方側の角度θ３の平均が５０度以上であることが好ましく、５５度以上であることがより好ましく、６０度以上であることがさらに好ましく、６５度以上であることが特に好ましい。また、親指の先端２と踵の先端３とを結ぶ線Ｘと各々の第３滑り止め部材３０の長軸方向との、爪先側に開く外方側の角度θ３の平均が９５度以下であることが好ましく、８５度以下であることがより好ましく、７５度以下であることがさらに好ましい。第３滑り止め部材３０の角度θ３の上限値および下限値をこのように設定することにより、小指球部６に加わる応力の向きに沿って第３滑り止め部材３０を配置することができ、小指球部６の滑りを防止する効果を高めることができる。
【００４１】
複数の第３滑り止め部材３０において、全ての第３滑り止め部材３０の角度θ３が同じであってもよく、異なっていてもよい。また、各々の第３滑り止め部材３０が配置されている間隔も、一定であってもよく、異なっていてもよい。第３滑り止め部材３０の好ましい配置の詳細については、後述する。
【００４２】
第３滑り止め部材３０を構成する材質は、滑り止め部材７０を構成する材質として挙げたものを使用することができる。中でも、シリコン樹脂であることが好ましい。第３滑り止め部材３０を構成する材質がこのようになっていることにより、小指球部６の滑り止め効果を高めることができる。
【００４３】
第３滑り止め部材３０の形状は、特に限定されず、複数の第３滑り止め部材３０の全ての形状が同じであってもよく、異なる形状のものが含まれていてもよい。中でも、複数の第３滑り止め部材３０の全ての形状が同じであることが好ましい。第３滑り止め部材３０がこのようになっていることにより、小指球部６全体の滑り止め防止効果を一定のものとすることができる。なお、第３滑り止め部材３０の好ましい形状の詳細については、後述する。
【００４４】
靴下１は、踵部５よりも爪先側かつ拇趾球部４よりも踵側に第４滑り止め部材４０を有していることが好ましい。すなわち、踵部５と拇趾球部４との間の部分に第４滑り止め部材４０が配置されていることが好ましい。踵部５と拇趾球部４との間の部分は、運動時に足裏に加わる力の向きが大きく変化する部分であり、この部分に第４滑り止め部材４０を配置して、滑りを抑えることによって運動能力を向上させることができる。
【００４５】
第４滑り止め部材４０は、第４滑り止め部材４０の外方側端が第４滑り止め部材４０の内方側端よりも踵側に近く、足裏において、親指の先端２と踵の先端３とを結ぶ線Ｘと各々の第４滑り止め部材４０の長軸方向との、踵側に開く外方側の角度θ４が２０度以上１１０度以下であるように配置されていることが好ましい。すなわち、第４滑り止め部材４０の土踏まずの反対側が、土踏まず側よりも下方となるように傾斜して配置されている。第４滑り止め部材４０がこのように配置されていることにより、踵から土踏まずよりも外側の部分に加わる応力の向きに沿って第４滑り止め部材４０を配置することができ、この部分の滑りを防止する効果を高めることができる。
【００４６】
第４滑り止め部材４０は、足裏において、親指の先端２と踵の先端３とを結ぶ線Ｘと第４滑り止め部材４０の長軸方向との、踵側に開く外方側の角度θ４が２０度以上であることが好ましく、２５度以上であることがより好ましく、３０度以上であることがさらに好ましく、３５度以上であることが特に好ましい。また、親指の先端２と踵の先端３とを結ぶ線Ｘと第４滑り止め部材４０の長軸方向との、踵側に開く外方側の角度θ４の平均が１１０度以下であることが好ましく、１０５度以下であることがより好ましく、１００度以下であることがさらに好ましく、９５度以下であることが特に好ましい。第４滑り止め部材４０の角度θ４の上限値および下限値をこのように設定することにより、踵から土踏まずよりも外側の部分に加わる応力の向きに沿って第４滑り止め部材４０を配置することができ、この部分の滑りを防止する効果を高めることができる。
【００４７】
第４滑り止め部材４０の数は、１つであってもよく、複数であってもよいが、複数であることが好ましい。第４滑り止め部材４０の数が複数であることにより、踵から土踏まずよりも外側の部分の滑りを防ぐ効果を向上させることが可能となる。
【００４８】
第４滑り止め部材４０が複数設けられている場合、複数の第４滑り止め部材４０において、全ての第４滑り止め部材４０の角度θ４が同じであってもよく、異なっていてもよい。また、各々の第４滑り止め部材４０が配置されている間隔も、一定であってもよく、異なっていてもよい。第４滑り止め部材４０の好ましい配置の詳細については、後述する。
【００４９】
第４滑り止め部材４０を構成する材質は、滑り止め部材７０を構成する材質として挙げたものを使用することができる。中でも、シリコン樹脂であることが好ましい。第４滑り止め部材４０を構成する材質がこのようになっていることにより、踵から土踏まずよりも外側の部分の滑り止め効果を高めることができる。
【００５０】
第４滑り止め部材４０の形状は、特に限定されず、第４滑り止め部材４０が複数である場合には、複数の第４滑り止め部材４０の全ての形状が同じであってもよく、異なる形状のものが含まれていてもよい。中でも、複数の第４滑り止め部材４０の全ての形状が同じであることが好ましい。第４滑り止め部材４０がこのようになっていることにより、踵から土踏まずよりも外側の部分の全体の滑り止め防止効果を一定のものとすることができる。なお、第４滑り止め部材４０の好ましい形状の詳細については、後述する。
【００５１】
靴下１は、指部７に複数の第５滑り止め部材５０を有していることが好ましい。指部７は、走り出しの際や、跳ぶための踏み切りの際に荷重が加わりやすい部分である。そのため、指部７に複数の第５滑り止め部材５０を配置することにより、足裏の指部７の滑りを防止することができる。
【００５２】
第５滑り止め部材５０は、足裏において、親指の先端２と踵の先端３とを結ぶ線Ｘと各々の第５滑り止め部材５０の長軸方向との、爪先側に開く外方側の角度θ５の平均が８０度以上であることが好ましく、８５度以上であることがより好ましく、９０度以上であることがさらに好ましく、９５度以上であることが特に好ましい。また、親指の先端２と踵の先端３とを結ぶ線Ｘと各々の第５滑り止め部材５０の長軸方向との、爪先側に開く外方側の角度θ５の平均が１２０度以下であることが好ましく、１１５度以下であることがより好ましく、１１０度以下であることがさらに好ましく、１０５度以下であることが特に好ましい。第５滑り止め部材５０の角度θ５の上限値および下限値をこのように設定することにより、指部７に加わる応力の向きに沿って第５滑り止め部材５０を配置することができ、指部７の滑りを防止する効果を高めることができる。
【００５３】
複数の第５滑り止め部材５０において、全ての第５滑り止め部材５０の角度θ５が同じであってもよく、異なっていてもよい。また、各々の第５滑り止め部材５０が配置されている間隔も、一定であってもよく、異なっていてもよい。第５滑り止め部材５０の好ましい配置の詳細については、後述する。
【００５４】
第５滑り止め部材５０を構成する材質は、滑り止め部材７０を構成する材質として挙げたものを使用することができる。中でも、シリコン樹脂であることが好ましい。第５滑り止め部材５０を構成する材質がこのようになっていることにより、指部７の滑り止め効果を高めることができる。
【００５５】
第５滑り止め部材５０の形状は、特に限定されず、複数の第５滑り止め部材５０の全ての形状が同じであってもよく、異なる形状のものが含まれていてもよい。中でも、複数の第５滑り止め部材５０の全ての形状が同じであることが好ましい。第５滑り止め部材５０がこのようになっていることにより、指部７全体の滑り止め防止効果を一定のものとすることができる。なお、第５滑り止め部材５０の好ましい形状の詳細については、後述する。
【００５６】
靴下１は、土踏まずよりも外方側に第６滑り止め部材６０を有していることが好ましい。土踏まず部８の外方側は、走ったり歩いたりする際に力が踵部５から拇趾球部４へと移動するときに荷重が加わる部分である。そのため、土踏まず部８の外方側のこの部分に第６滑り止め部材６０を配置することにより、この部分の滑りを防止することができ、運動能力を高めることができる。
【００５７】
第６滑り止め部材６０は、足裏において、親指の先端２と踵の先端３とを結ぶ線Ｘと第６滑り止め部材６０の長軸方向との、爪先側に開く外方側の角度θ６が８０度以上であることが好ましく、８５度以上であることがより好ましく、９０度以上であることがさらに好ましく、９５度以上であることが特に好ましい。また、親指の先端２と踵の先端３とを結ぶ線Ｘと第６滑り止め部材６０の長軸方向との、爪先側に開く外方側の角度θ６が１２０度以下であることが好ましく、１１５度以下であることがより好ましく、１１０度以下であることがさらに好ましく、１０５度以下であることが特に好ましい。第６滑り止め部材６０の角度θ６の上限値および下限値をこのように設定することにより、土踏まずよりも外方側に加わる応力の向きに沿って第６滑り止め部材６０を配置することができ、この部分の滑りを防止する効果を高めることができる。
【００５８】
第６滑り止め部材６０の数は、１つであってもよく、複数であってもよいが、複数であることが好ましい。第６滑り止め部材６０の数が複数であることにより、土踏まずよりも外方側の部分の滑りを防ぐ効果を向上させることが可能となる。
【００５９】
第６滑り止め部材６０が複数設けられている場合、複数の第６滑り止め部材６０において、全ての第６滑り止め部材６０の角度θ６が同じであってもよく、異なっていてもよい。また、各々の第６滑り止め部材６０が配置されている間隔も、一定であってもよく、異なっていてもよい。第６滑り止め部材６０の好ましい配置の詳細については、後述する。
【００６０】
第６滑り止め部材６０を構成する材質は、滑り止め部材７０を構成する材質として挙げたものを使用することができる。中でも、シリコン樹脂であることが好ましい。第６滑り止め部材６０を構成する材質がこのようになっていることにより、土踏まずよりも外方側の部分の滑り止め効果を高めることができる。
【００６１】
第６滑り止め部材６０の形状は、特に限定されず、第６滑り止め部材６０が複数である場合、複数の第６滑り止め部材６０の全ての形状が同じであってもよく、異なる形状のものが含まれていてもよい。中でも、複数の第６滑り止め部材６０の全ての形状が同じであることが好ましい。第６滑り止め部材６０がこのようになっていることにより、土踏まずよりも外方側部分の全体の滑り止め防止効果を一定のものとすることができる。なお、第６滑り止め部材６０の好ましい形状の詳細については、後述する。
【００６２】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つは、足裏において、親指の先端２と踵の先端３とを結ぶ線Ｘと各々の該滑り止め部材の長軸方向とがなす角度の差が１０度以下（０度を含む）であることが好ましい。すなわち、図３に示すように、少なくともいずれか１つの滑り止め部材７０において、それぞれの滑り止め部材７０の各角度θ７の差が小さいことが好ましく、それぞれの滑り止め部材７０の角度θ７が全て同じであることがより好ましい。複数の滑り止め部材７０の角度θ７の差がこのようになっていることにより、滑り止め部材７０が設けられている部分の滑りを防止する効果を高めることができ、着用者の運動能力をより向上させることが可能となる。
【００６３】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つは、隣り合う該滑り止め部材の間隔が１ｍｍ以上２０ｍｍ以下であることが好ましい。すなわち、少なくともいずれか１つの滑り止め部材７０において、横方向に隣接する滑り止め部材７０の間隔Ｌ１ａおよび縦方向に隣接する滑り止め部材７０の間隔Ｌ１ｂが１ｍｍ以上２０ｍｍ以下であることが好ましい。隣り合う複数の滑り止め部材７０の間隔Ｌ１ａおよびＬ１ｂがこのようになっていることにより、滑り止め効果を十分に発揮することができる。
【００６４】
隣り合う複数の滑り止め部材７０の間隔は、１ｍｍ以上であることが好ましく、３ｍｍ以上であることがより好ましく、５ｍｍ以上であることがさらに好ましい。隣り合う複数の滑り止め部材７０の間隔の下限値をこのように設定することにより、足裏における滑り止め効果を適切なものとすることができ、靴下１の着用者の運動能力を高めることができる。また、隣り合う複数の滑り止め部材７０の間隔は、２０ｍｍ以下であることが好ましく、１５ｍｍ以下であることがより好ましく、１０ｍｍ以下であることがさらに好ましい。隣り合う複数の滑り止め部材７０の間隔の上限値をこのように設定することにより、足裏における滑り止め効果を向上させることが可能となる。
【００６５】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の形状は特に限定されないが、長方形状や楕円形状等の長軸方向の長さと短軸方向の長さが異なっている、横長の形状であることが好ましい。滑り止め部材７０の形状が横長形状であれば、滑り止め部材７０が設けられている部分の滑りをより防止することができる。
【００６６】
中でも、複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つの全ての形状は、Ｖ字型であることが好ましい。少なくともいずれか１つの滑り止め部材７０の全ての形状がＶ字型であることにより、滑り止め部材７０が設けられている部分に加わる荷重を受け止めることができ、より高い滑り止め効果を発揮することができる。
【００６７】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つは、各々の該滑り止め部材の長軸方向の長さの平均が短軸方向の長さの平均の２倍以上１２倍以下であることが好ましい。すなわち、少なくともいずれか１つの滑り止め部材７０において、複数の滑り止め部材７０の長軸方向の長さＬ２の平均値が、複数の滑り止め部材７０の短軸方向の長さＬ３の平均値の２倍以上１２倍以下であることが好ましい。滑り止め部材７０の形状をこのようにすることにより、滑り止め部材７０が設けられている部分における荷重を滑り止め部材７０が十分に受け止めることができ、滑りを防ぐ効果を高めることが可能となる。
【００６８】
滑り止め部材７０の長軸方向の長さＬ２の平均は、短軸方向の長さＬ３の平均の２倍以上であることが好ましく、４倍以上であることがより好ましく、６倍以上であることがさらに好ましい。滑り止め部材７０の長軸方向の長さＬ２と短軸方向の長さＬ３との比率の下限値をこのように設定することにより、足裏に加わる力を滑り止め部材７０が十分に受けることができる。また、滑り止め部材７０の長軸方向の長さＬ２の平均は、短軸方向の長さＬ３の平均の１２倍以下であることが好ましく、１０倍以下であることがより好ましく、８倍以下であることがさらに好ましい。滑り止め部材７０の長軸方向の長さＬ２と短軸方向の長さＬ３との比率の上限値をこのように設定することにより、滑り止め部材７０の形状のバランスがよくなり、滑り止め部材７０の強度を高めることができる。
【００６９】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つは、各々の該滑り止め部材の短軸方向の長さの平均が２ｍｍ以上であることが好ましい。すなわち、少なくともいずれか１つの滑り止め部材７０において、複数の滑り止め部材７０の短軸方向の長さＬ３の平均値が２ｍｍ以上であることが好ましい。滑り止め部材７０の形状をこのようにすることにより、滑り止め部材７０が設けられている部分の滑り止め効果を向上させることが可能となる。
【００７０】
滑り止め部材７０の短軸方向の長さＬ３の平均は、２ｍｍ以上であることが好ましく、３ｍｍ以上であることがより好ましく、６ｍｍ以上であることがさらに好ましい。滑り止め部材７０の短軸方向の長さＬ３の下限値をこのように設定することにより、滑りを防ぐ効果をより高めることが可能となる。また、滑り止め部材７０の短軸方向の長さＬ３の平均は、１２ｍｍ以下であることが好ましく、１１ｍｍ以下であることがより好ましく、１０ｍｍ以下であることがさらに好ましい。滑り止め部材７０の短軸方向の長さＬ３の上限値をこのように設定することにより、滑り止め部材７０の強度を十分なものとすることができる。
【００７１】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０の少なくともいずれか１つは、各々の該滑り止め部材の長軸方向の長さの平均が１２ｍｍ以下であることが好ましい。すなわち、少なくともいずれか１つの滑り止め部材７０において、複数の滑り止め部材７０の長軸方向の長さＬ２の平均値が１２ｍｍ以下であることが好ましい。滑り止め部材７０の形状をこのようにすることにより、滑り止め部材７０の強度を高めることが可能となる。
【００７２】
滑り止め部材７０の長軸方向の長さＬ２の平均は、１２ｍｍ以下であることが好ましく、１１ｍｍ以下であることがより好ましく、１０ｍｍ以下であることがさらに好ましい。滑り止め部材７０の長軸方向の長さＬ２の上限値をこのように設定することにより、滑り止め部材７０の強度を十分なものとすることができる。また、滑り止め部材７０の長軸方向の長さＬ２の平均は、２ｍｍ以上であることが好ましく、３ｍｍ以上であることがより好ましく、６ｍｍ以上であることがさらに好ましい。滑り止め部材７０の長軸方向の長さＬ２の下限値をこのように設定することにより、滑りを防ぐ効果をより高めることが可能となる。
【００７３】
複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０を構成する材料は、同じであってもよく、異なっていてもよい。各滑り止め部材を構成する材料を同じものとすることにより、足裏全体における滑り止め効果のバランスをとることができる。各滑り止め部材を構成する材料を異なるものとすることにより、例えば、他の部分よりも荷重が大きく加わり、破損する可能性の高い部分の滑り止め部材を強度の高い材料とすることによって耐久性を高めることができる。
【００７４】
靴下１は、複数の第１滑り止め部材１０、複数の第２滑り止め部材２０、複数の第３滑り止め部材３０、複数の第４滑り止め部材４０、複数の第５滑り止め部材５０、および複数の第６滑り止め部材６０とは異なる滑り止め部材を有していてもよい。例えば、足裏の周囲に位置する部分に滑り止め部材を設けることにより、運動時に足裏に加わる力が逃げることを防ぐことができ、着用者の運動能力を向上させることが可能となる。
【００７５】
靴下１は、足裏の肌面側に肌側滑り止め部材を有していてもよい。肌側滑り止め部材が設けられていることより、素足と靴下との間での滑りも防止することができ、より着用者の運動能力を向上させることが可能となる。肌側滑り止め部材の位置は特に限定されないが、踵部５および指部７の少なくともいずれかに設けられていることが好ましい。肌側滑り止め部材がこのような位置に設けられていることにより、さらに効果的に素足と靴下との間の滑り止めを行うことができる。
【００７６】
肌側滑り止め部材を構成する材料は特に限定されないが、例えば、足裏の外面側に設けている滑り止め部材７０を構成する材質として挙げたものや、ナノファイバーやブークレ糸のような繊維状滑り止め材等が挙げられる。中でも、繊維状滑り止め材であることが好ましい。肌側滑り止め部材を構成する材料がこのようになっていることにより、肌当たりがよく、着用時に異物感を感じにくい靴下１とすることができる。
【００７７】
靴下１は、複数の指収容部を有することが好ましく、２以上５以下の指収容部を有することがより好ましい。すなわち、図１に示すような、指を収容する部分が親指収容部とその他の指収容部の２つである、足袋形状の靴下１や、図２に示すような、指を収容する部分が各指をそれぞれ収容する５つである、５本指形状の靴下１が好ましい。靴下１の形状がこのようになっていることにより、足裏の滑りをより防止することが可能となる。
【００７８】
以上のように、本発明の靴下は、足裏の外面側に滑り止め部材を有する靴下であって、拇趾球部に複数の第１滑り止め部材を有しており、第１滑り止め部材は、第１滑り止め部材の内方側端が第１滑り止め部材の外方側端よりも踵側に近く、足裏において、親指の先端と踵の先端とを結ぶ線と各々の第１滑り止め部材の長軸方向とがなす角度の平均が５０度以上１００度未満であることを特徴とする。靴下がこのような構成であることにより、足裏の滑りを防止し、着用者の運動能力を向上させることができる。
【符号の説明】
【００７９】
１：靴下
２：親指の先端
３：踵の先端
４：拇趾球部
５：踵部
６：小指球部
７：指部
８：土踏まず部
１０：第１滑り止め部材
２０：第２滑り止め部材
３０：第３滑り止め部材
４０：第４滑り止め部材
５０：第５滑り止め部材
６０：第６滑り止め部材
７０：滑り止め部材
Ｘ：親指の先端と踵の先端とを結ぶ線
Ｌ１ａ：滑り止め部材の横方向の間隔
Ｌ１ｂ：滑り止め部材の縦方向の間隔
Ｌ２：滑り止め部材の長軸方向の長さ
Ｌ３：滑り止め部材の短軸方向の長さ
θ１：親指の先端と踵の先端とを結ぶ線と第１滑り止め部材の長軸方向との、爪先側に開く外方側の角度
θ２：親指の先端と踵の先端とを結ぶ線と第２滑り止め部材の長軸方向との、爪先側に開く外方側の角度
θ３：親指の先端と踵の先端とを結ぶ線と第３滑り止め部材の長軸方向との、爪先側に開く外方側の角度
θ４：親指の先端と踵の先端とを結ぶ線と第４滑り止め部材の長軸方向との、踵側に開く外方側の角度
θ５：親指の先端と踵の先端とを結ぶ線と第５滑り止め部材の長軸方向との、爪先側に開く外方側の角度
θ６：親指の先端と踵の先端とを結ぶ線と第６滑り止め部材の長軸方向との、爪先側に開く外方側の角度
θ７：親指の先端と踵の先端とを結ぶ線と滑り止め部材の長軸方向とがなす角度
【図１】
2019002080.tif 000003
【図２】
2019002080.tif 000004
【図３】
2019002080.tif 000005
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
足裏の外面側に滑り止め部材を有する靴下であって、
拇趾球部に複数の第１滑り止め部材を有しており、
前記第１滑り止め部材は、前記第１滑り止め部材の内方側端が前記第１滑り止め部材の外方側端よりも踵側に近く、
かつ、前記足裏において、親指の先端と前記踵の先端とを結ぶ線と各々の前記第１滑り止め部材の長軸方向との、爪先側に開く外方側の角度の平均が５０度以上１００度未満であり、
かつ、前記第１滑り止め部材の形状は、前記爪先側が凸であって、かつ前記踵側が凹である形状であることを特徴とする靴下。
但し、
［拇趾球部］：拇趾球に重なる円状領域であって当該円の直径が靴下の最大幅の１／４である。
【請求項２】
踵部に複数の第２滑り止め部材を有しており、
前記足裏において、前記親指の先端と前記踵の先端とを結ぶ線と各々の前記第２滑り止め部材の長軸方向との、前記爪先側に開く外方側の角度の平均が８０度以上１２０度以下である請求項１に記載の靴下。
但し、
［踵部］：足裏を長さ方向に７等分したときの最も踵側に位置する領域。
【請求項３】
踵部に複数の第２滑り止め部材を有しており、
複数の前記第２滑り止め部材は、放射状に配列されている請求項１に記載の靴下。
但し、
［踵部］：足裏を長さ方向に７等分したときの最も踵側に位置する領域。
【請求項４】
小指球部に複数の第３滑り止め部材を有しており、
前記第３滑り止め部材は、前記第３滑り止め部材の内方側端が前記第３滑り止め部材の外方側端よりも踵側に近く、
前記足裏において、前記親指の先端と前記踵の先端とを結ぶ線と各々の前記第３滑り止め部材の長軸方向との、前記爪先側に開く外方側の角度の平均が５０度以上１００度未満である請求項１〜３のいずれか一項に記載の靴下。
但し、
［小指球部］：小指球に重なる円状領域であって当該円の直径が靴下の最大幅の１／４である。
【請求項５】
前記踵部よりも前記爪先側かつ前記拇趾球部よりも前記踵側に第４滑り止め部材を有しており、
前記第４滑り止め部材は、前記第４滑り止め部材の外方側端が前記第４滑り止め部材の内方側端よりも踵側に近く、
前記足裏において、前記親指の先端と前記踵の先端とを結ぶ線と前記第４滑り止め部材の長軸方向との、前記踵側に開く外方側の角度が２０度以上１１０度以下である請求項１〜４のいずれか一項に記載の靴下。
【請求項６】
指部に複数の第５滑り止め部材を有しており、
前記足裏において、前記親指の先端と前記踵の先端とを結ぶ線と各々の前記第５滑り止め部材の長軸方向との、前記爪先側に開く外方側の角度の平均が８０度以上１２０度以下である請求項１〜５のいずれか一項に記載の靴下。
【請求項７】
土踏まずよりも外方側に第６滑り止め部材を有しており、
前記足裏において、前記親指の先端と前記踵の先端とを結ぶ線と前記第６滑り止め部材
の長軸方向との、前記爪先側に開く外方側の角度が８０度以上１２０度以下である請求項１〜６のいずれか一項に記載の靴下。
【請求項８】
複数の前記第１滑り止め部材、踵部に配置されている複数の第２滑り止め部材、小指球部に配置されている複数の第３滑り止め部材、前記踵部よりも前記爪先側かつ前記拇趾球部よりも前記踵側に配置されている複数の第４滑り止め部材、指部に配置されている複数の第５滑り止め部材および土踏まずよりも外方側に配置されている複数の第６滑り止め部材の少なくともいずれか１つは、前記足裏において、前記親指の先端と前記踵の先端とを結ぶ線と各々の該滑り止め部材の長軸方向とがなす各角度の差が１０度以下（０度を含む）である請求項１〜７のいずれか一項に記載の靴下。
但し、
［踵部］：足裏を長さ方向に７等分したときの最も踵側に位置する領域。
［小指球部］：小指球に重なる円状領域であって当該円の直径が靴下の最大幅の１／４である。
【請求項９】
複数の前記第１滑り止め部材、踵部に配置されている複数の第２滑り止め部材、小指球部に配置されている複数の第３滑り止め部材、前記踵部よりも前記爪先側かつ前記拇趾球部よりも前記踵側に配置されている複数の第４滑り止め部材、指部に配置されている複数の第５滑り止め部材および土踏まずよりも外方側に配置されている複数の第６滑り止め部材の少なくともいずれか１つは、隣り合う該滑り止め部材の間隔が、１ｍｍ以上２０ｍｍ以下である請求項１〜８のいずれか一項に記載の靴下。
但し、
［踵部］：足裏を長さ方向に７等分したときの最も踵側に位置する領域。
［小指球部］：小指球に重なる円状領域であって当該円の直径が靴下の最大幅の１／４である。
【請求項１０】
複数の前記第１滑り止め部材、踵部に配置されている複数の第２滑り止め部材、小指球部に配置されている複数の第３滑り止め部材、前記踵部よりも前記爪先側かつ前記拇趾球部よりも前記踵側に配置されている複数の第４滑り止め部材、指部に配置されている複数の第５滑り止め部材および土踏まずよりも外方側に配置されている複数の第６滑り止め部材の少なくともいずれか１つは、各々の該滑り止め部材の長軸方向の長さの平均が短軸方向の長さの平均の２倍以上１２倍以下である請求項１〜９のいずれか一項に記載の靴下。
但し、
［踵部］：足裏を長さ方向に７等分したときの最も踵側に位置する領域。
［小指球部］：小指球に重なる円状領域であって当該円の直径が靴下の最大幅の１／４である。
【請求項１１】
複数の前記第１滑り止め部材、踵部に配置されている複数の第２滑り止め部材、小指球部に配置されている複数の第３滑り止め部材、前記踵部よりも前記爪先側かつ前記拇趾球部よりも前記踵側に配置されている複数の第４滑り止め部材、指部に配置されている複数の第５滑り止め部材および土踏まずよりも外方側に配置されている複数の第６滑り止め部材の少なくともいずれか１つは、各々の該滑り止め部材の短軸方向の長さの平均が２ｍｍ以上である請求項１〜１０のいずれか一項に記載の靴下。
但し、
［踵部］：足裏を長さ方向に７等分したときの最も踵側に位置する領域。
［小指球部］：小指球に重なる円状領域であって当該円の直径が靴下の最大幅の１／４である。
【請求項１２】
複数の前記第１滑り止め部材、踵部に配置されている複数の第２滑り止め部材、小指球部に配置されている複数の第３滑り止め部材、前記踵部よりも前記爪先側かつ前記拇趾球部よりも前記踵側に配置されている複数の第４滑り止め部材、指部に配置されている複数の第５滑り止め部材および土踏まずよりも外方側に配置されている複数の第６滑り止め部材の少なくともいずれか１つは、各々の該滑り止め部材の長軸方向の長さの平均が１２ｍｍ以下である請求項１〜１１のいずれか一項に記載の靴下。
但し、
［踵部］：足裏を長さ方向に７等分したときの最も踵側に位置する領域。
［小指球部］：小指球に重なる円状領域であって当該円の直径が靴下の最大幅の１／４である。